(57)【特許請求の範囲】
【請求項１】
一定間隔で平行にならべられるとともに、その間を気体が流動するフィンと前記フィンに所定の段ピッチ列ピッチで直角に挿入され、内部を冷媒が通過する伝熱管を有し、段方向に隣接する凝縮時過熱部における前記伝熱管の間の前記フィンに逆ハの字形に切り込み、切り抜きまたは切り起こしを設けた空気調和機用フィン付き熱交換器。
【請求項２】
一定間隔で平行にならべられるとともに、その間を気体が流動するフィンと前記フィンに所定の段ピッチ列ピッチで直角に挿入され、内部を冷媒が通過する伝熱管を有し、段方向に隣接する凝縮時過熱部における前記伝熱管の間の前記フィンにＶ字形の切り込み、切り抜きまたは切り起こしを設けた空気調和機用フィン付き熱交換器。
【発明の詳細な説明】
【０００１】
【発明の属する技術分野】
本発明は、空気調和機に用いられるフィン付き熱交換器に関するものである。
【０００２】
【従来の技術】
従来のフィン付き熱交換器は熱交換能力を改善するため、特開昭６３―１８３３９１号公報の図７に示すようにフィン面の表裏両側に複数の切り起しを設けたものが用いられていた。
【０００３】
【発明が解決しようとする課題】
しかしながら、従来のフィン付き熱交換器では、伝熱管を複数段用い、さらに段方向に隣接するそれぞれの伝熱管の内部を流れる冷媒の温度差があるとき、それぞれの伝熱管を流れる流体間で広い表面積を有しているフィンを通して熱伝導により熱交換する。このため、フィン付き熱交換器を複数段で用いても熱交換能力の効果的な向上はあまりないという課題を有していた。
【０００４】
本発明はこのような従来の課題を解決するものであり、複数段で用いても段方向に隣接するそれぞれの伝熱管の内部を流れる流体間でフィンを通して熱伝導するのを抑制し、複数段での熱交換能力を効果的に向上させることを目的とするものである。
【０００５】
【課題を解決するための手段】
上記課題を解決するために本発明のフィン付き熱交換器は、（１）一定間隔で平行にならべられるとともに、その間を気体が流動するフィンと前記フィンに所定の段ピッチ列ピッチで直角に挿入され、内部を冷媒が通過する伝熱管から構成され、段方向に隣接する凝縮時過熱部における前記伝熱管の間の前記フィンに逆ハの字形の切り込み、切り抜きまたは切り起こしを設けたもの、または、（２）段方向に隣接する凝縮時過熱部の前記伝熱管の間の前記フィンにＶ字形の切り込み、切り抜きまたは切り起こしを設けるものである。
【０００６】
【発明の実施の形態】
本発明のフィン付き熱交換器は、（１）一定間隔で平行にならべられるとともに、その間を気体が流動するフィンと前記フィンに所定の段ピッチ列ピッチで直角に挿入され、内部を冷媒が通過する伝熱管から構成され、段方向に隣接する凝縮時過熱部における前記伝熱管の間の前記フィンに逆ハの字形に切り込み、切り抜きまたは切り起こしを設け、段方向に隣接するそれぞれのの伝熱管の内部を流れる流体間で、フィンを通して熱伝導するのを抑制し、複数段での熱交換能力を効果的に向上させることができる。
【０００７】
さらに逆ハの字形の切り込みまたは切り抜きまたは切り起こしとすることにより、ヒートポンプ式空気調和機において熱交換器が蒸発器として使用される際に、凝縮水は逆ハの字形の切り込みまたは切り抜きまたは切り起こしに沿って流下するため熱交換器フィンの中央付近で水処理が可能となり、フィン外への凝縮水の飛び跳ねによる周囲の汚染を防止することが可能となる。
【０００８】
（２）段方向に隣接する凝縮時過熱部における伝熱管の間の前記フィンにＶ字形の切り込み、切り抜きまたは切り起こしを設け、段方向に隣接するそれぞれのの伝熱管の内部を流れる流体間で、フィンを通して熱伝導するのを抑制し、複数段での熱交換能力を効果的に向上させることができる。
【０００９】
さらに逆ハの字形の切り込みまたは切り抜きまたは切り起こしとすることにより、ヒートポンプ式空気調和機において熱交換器が蒸発器として使用される際に、凝縮水はＶ字形の切り込みまたは切り抜きまたは切り起こしに沿って流下するため熱交換器フィンの中央付近で水処理が可能となり、フィン外への凝縮水の飛び跳ねによる周囲の汚染を防止することが可能となる。
【００１０】
以下、本発明の実施の形態について図面を参照して説明する。
【００１１】
（実施の形態１）
以下、本発明の実施の形態１について、図１〜３を用いて説明する。
【００１２】
図１〜３は本発明の実施の形態１におけるフィン付き熱交換器の平面図である。図１に示すようにフィン１１に一定間隔でバーリングされたフィンカラー１２に伝熱管１３が挿入され、矢印方向に気体が流動する。
【００１３】
熱交換器が凝縮器として使用される場合の凝縮時過熱部伝熱管１４と段方向に隣接する伝熱管のフィンに逆ハの字形に切り込み２１または切り抜き２２または切り起し２３が形成されている。
【００１４】
（実施の形態２）
本発明の実施の形態２について、図４〜６を用いて説明する。
【００１５】
図４〜６は本発明の実施の形態２におけるフィン付き熱交換器の平面図である。熱交換器が凝縮器として使用される場合の凝縮時過熱部伝熱管１４と段方向に隣接する伝熱管のフィンにＶ字形の切り込み３１または切り抜き３２または切り起し３３が形成されている。
【００１６】
【発明の効果】
本発明のフィン付き熱交換器は上記説明から明らかなように、
（１）一定間隔で平行にならべられるとともに、その間を気体が流動するフィンと前記フィンに所定の段ピッチ列ピッチで直角に挿入され、内部を冷媒が通過する伝熱管から構成され、段方向に隣接する凝縮時過熱部における前記伝熱管の間の前記フィンに逆ハの字形に切り込み、切り抜きまたは切り起こしを設け、熱的に絶縁することにより、段方向に隣接するそれぞれのの伝熱管の内部を流れる流体間で、フィンを通して熱伝導するのを抑制し、複数段での熱交換能力を効果的に向上させることができる。
【００１７】
さらに、ヒートポンプ式空気調和機において熱交換器が蒸発器として使用される際に、凝縮水は逆ハの字形切り込み、切り抜きまたは切り起こしに沿って流下するため熱交換器フィンの中央付近で水処理が可能となり、フィン外への凝縮水の飛び跳ねによる周囲の汚染を防止することが可能となる。
（２）段方向に隣接する凝縮時過熱部における伝熱管の間のフィンにＶ字形の切り込み、切り抜きまたは切り起こしを設け、熱的に絶縁することにより、段方向に隣接するそれぞれの伝熱管の内部を流れる流体間で、フィンを通して熱伝導するのを抑制し、複数段での熱交換能力を効果的に向上させることができる。
【００１８】
さらに、ヒートポンプ式空気調和機において熱交換器が蒸発器として使用される際に、凝縮水はＶ字形切り込み、切り抜きまたは切り起こしに沿って流下するため熱交換器フィンの中央付近で水処理が可能となり、フィン外への凝縮水の飛び跳ねによる周囲の汚染を防止することが可能となる。
【図面の簡単な説明】
【図１】本発明の実施の形態１を示すフィン付き熱交換器の平面図
【図２】同熱交換器の平面図
【図３】同熱交換器の平面図
【図４】本発明の実施の形態２を示すフィン付き熱交換器の平面図
【図５】同熱交換器の平面図
【図６】同熱交換器の平面図
【図１】
0003838136.tif 000002
【図２】
0003838136.tif 000003
【図３】
0003838136.tif 000004
【図４】
0003838136.tif 000005
【図５】
0003838136.tif 000006
【図６】
0003838136.tif 000007